(57)【特許請求の範囲】
【請求項１】
オーガから吊下げ材にて吊下げられている掘削ロッドの振止として、リーダ上部とリーダ下部との中間にあって、リーダのレール上を自重で降下する中間振止の異常落下を警告するための検出警告装置において、
前記中間振止の吊下げ材の弛みを検出する手段と、
前記中間振止が下降し、リーダ下部に固定の前記掘削ロッド下部振止上に預けられたことを検出する手段と、
前記中間振止が下部振止上になく、吊下げ材の弛みを検出したとき、警告を発する手段とを備えることを特徴とするオーガ掘削ロッドの中間振止吊下げ材弛み検出警告装置。
【発明の詳細な説明】
【技術分野】
【０００１】  本発明は、オーガから吊下げ材にて吊下げられている中間振止の異常落下を警告するための検出警告装置に関する。
【背景技術】
【０００２】  従来、掘削作業の掘削精度を高めるため、ロッドの振止として固定の下部振止とオーガから吊下げ材にて吊下げられ自重で下降する中間振止とが用いられてきた。
この中間振止は比較的軽量であり、オーガの下端に接続されたロッドの曲がりなど負荷が掛かったとき、自重で降下できず途中に引っかかった状態で停止することがあった。
その際、オーガが降下しても吊下げ材は中間振止吊下げ材受けボックスに、例えば吊下げ材がチェーンの場合は折畳まれ収まるため、目視では吊下げ材が弛んでいることが判り難く、その状態にて中間振止の真下での作業が行われるとき、何かのきっかけで中間振止が、吊下げ材の弛んでいた分不意に落下し作業員を直撃するといった危険性があった。
【発明の開示】
【発明が解決しようとする課題】
【０００３】  そこで、本発明は、中間振止が引っかかった状態で停止している場合、ランプ（パトライト）の点灯や警報ブザーにより、作業者に警告を与え、安全作業を行えるようにすることにある。
【課題を解決するための手段】
【０００４】  上記問題を解決する手段は、
オーガから吊下げ材にて吊下げられている中間振止の異常落下を警告するための検出警告装置であって、
前記中間振止の吊下げ材の弛みを検出する手段と、
前記中間振止が下降し、下部振止上に預けられたことを検出する手段と、
前記中間振止が下部振止上になく、吊下げ材の弛みを検出したとき、警告を発する手段と、を備えることを特徴とするオーガ中間振止吊下げ材弛み検出警告装置。【０００５】  すなわち、本発明のオーガ中間振止吊下げ材弛み検出警告装置によれば、中間振止が下部振止上まで降下して吊下げ材が弛んでいる場合は中間振止落下の危険性はないが、中間振止がリーダのレール上で引っかかった状態で停止している場合のオーガ中間振止吊下げ材に弛みのみを判別検出させ、そのとき警告を発するようにすることで、作業者の注意が喚起され、安全に作業を行うことができる。
【発明の効果】
【０００６】  本発明によれば、なんらかの事態で中間振止がリーダのレール上で引っかかった状態にて停止したとしても、作業者に警告が予め与えられているので、中間振止の不意の落下からの危険が避けられる。
【発明を実施するための最良の形態】
【０００７】  以下、図１乃至図４を参照し、本発明によるオーガ中間振止吊下げ材弛み検出警告装置の一実施形態について詳細に説明する。【０００８】  図１に示したように、中間振止５はリーダ２のレール３に沿って自在に昇降するオーガ１下端の左右ブラケット１ａ、１ｂ（従来はここに中間振止吊下げ用チェーンが吊下げられる）にチェーン弛み検出装置８、８の上端が取付けられ、それらの下端から各々チェーン７ａ、７ｂによって吊下げられており、各々のチェーン弛み検出装置８、８内にはチェーン７ａ、７ｂの重量につりあうように調整されたバネ２０を有するリミットスイッチ８ａ、８ｂが内蔵されている。
また、下部振止はリーダ２上端のトップシーブ（図示せず）から下部振止吊りワイヤ６によって吊下げられており、下部振止４の上部にはロッド１２に付着した土砂の飛散防止用ジャバラ１３が設けられている。
尚、このジャバラ１３部に中間振止５が預けられたとき、下部振止取付スライド金具１５上端に設けられた振止間距離検出用リミットスイッチ９が中間振止取付スライド金具１６下端の押圧によりＯＮになる構造になっている。
そして、ベースマシン１４の前部には、中間振止５が引っかかった状態で停止している場合、警告用のパトライト１０及び又は警報ブザー１１が設けられている。【０００９】  このオーガ中間振止吊下げ材弛み検出警告装置全体の回路としては、図２に示したように、直列に配されたリミットスイッチ８ａ、８ｂの電流信号をリレー１８で、また振止間距離検出用リミットスイッチ９の電流信号をリレー１９で受け、リレー１８と１９を直列に配して、警告用のパトライト１０及び又は警報ブザー１１に繋げてある。【００１０】  尚、本実施例では、中間振止５の吊下げ材の弛みを検出する手段を一例としてバネ２０に掛かる荷重がチェーン７ａ、７ｂの荷重以下になった場合作動するリミットスイッチ８ａ、８ｂとしたが、荷重計等の他の検出器を用いてもよく、中間振止５が下部振止４に預けられた状態を検出する検出器も同様である。
また、本実施例では、中間振止５の吊下げ材としてチェーン７ａ、７ｂを用いたが、その利点は中間振止が下部振止に預かった後、更にオーガを下降する際、中間振止５に設けられたチェーン受け箱１７の中に折りたたまれる形になって収容され余ったチェーン７ａ、７ｂの処理が不要のためであり、ワイヤ等を用いてもよい。【００１１】  次に、上記実施形態の作用を図１乃至図４を参照して説明する。
図１に示したように、掘削精度を高めるため、ロッド１２の振止としてリーダ２上端のトップシープ（図示せず）から吊下げ材６にて吊下げられた固定の下部振止４とオーガ１から吊下げ材７ａ、７ｂにて吊下げられ自重で下降する中間振止５とを有する掘削機を用いて、掘削作業が開始される。
このとき、中間振止５はオーガ１下端と下部振止４上端との中間付近の所定位置にセットされており、ロッド１２は３点支持により鉛直精度が高められた状態で埋入されていくこととなる。
そして、ロッド１２の埋入に伴い、中間振止５は下部振止４に向かってリーダ２のレール３上を自重で下降して行き、中間振止受止め緩衝用ジャバラ１３に預けられ、その後はこの状態でオーガは更に降下しロッド１２上端が中間振止５の上端到達まで埋入作業が行われる。【００１２】  中間振止５が、正常な状態で降下していく場合、中間振止５をオーガ１下端から吊下げているチェーン７ａ、７ｂは片側のチェーン７ａの状態を図３−１に示したごとく、ぴんと張った状態にあり、リミットスイッチ８ａ、８ｂはＯＮの状態にあるので、図２に示したリレー１８のパトライト１０及び又は警報ブザー１１ラインが開放されており、点灯やブザーがなることはない。【００１３】  これに反し、もし何らかの理由で中間振止５がリーダ２のレール３上で引っかかった状態にて停止した場合、片側のチェーン７ａの状態を図３−２に示したごとく、チェーン７ａはチェーン受け箱１７内に一部が弛んで預けられた状態にあり、チェーン弛み検出装置８のバネ２０に掛かる荷重がチェーン７ａ、７ｂの荷重以下になるので、リミットスイッチ８ａ、８ｂは押し上げられＯＦＦの状態になり、図２に示したリレー１８のパトライト１０及び又は警報ブザー１１ラインが閉鎖されることになって点灯やブザーが鳴り警告が行われることとなる。【００１４】  尚、チェーン弛み検出装置８は、チェーン７ａ、７ｂのどちらか一方に付けてもよいが、中間振止５が左右に傾きどちらか一方だけが弛んだ場合、その落下距離は僅かであるが、中間振止５は比較的軽量といえども人に対する衝撃は無視できないものとなるため、チェーン７ａ、７ｂの両方にチェーン弛み検出装置８を取付けた方がよい。【００１５】  次に、ロッド１２の埋入に伴い、中間振止５が下部振止４に向かってリーダ２のレール３上を自重で下降して行き、ロッド１２に付着した土砂の飛散防止用ジャバラ１３に預けられると、チェーン７ａ、７ｂはチェーン受け箱１７内に弛んで預けられる状態になり、中間振止５の落下危険はなくなる。
故に、チェーン７ａ、７ｂがこの状態で弛んだ場合は、図４−２に示したごとく、下部振止取付スライド金具１５上端に設けられた振止間距離検出用リミットスイッチ９が中間振止取付スライド金具１６下端の押圧により押し下げられＯＮの状態になり、図２に示したリレー１９のパトライト１０及び又は警報ブザー１１ラインが開放され、点灯やブザーがなることはない。【００１６】  このように，本発明の装置を用いることにより、中間振止５が下部振止４に預けられるまでの途中段階で引っかかって停止している場合のみ、パトライト１０の点灯や警報ブザー１１が鳴るので、作業者はその警告が行われたときのみ注意して安全作業が行えることとなる。
【図面の簡単な説明】
【００１７】
【図１】本発明の警告装置が取り付けられたオーガ機の側面図。
【図２】本発明の警告装置の回路図。
【図３】本発明のチェーン弛み検出装置概念図。
【図４】本発明の振止間距離検出用リミットスイッチ作動概念図。
【符号の説明】
【００１８】１  オーガ
１ａ、１ｂ  ブラケット
２  リーダ
３  レール
４  下部振止
５  中間振止
６  下部振止吊りワイヤ
７ａ、７ｂ  中間振止吊りチェーン
８  チェーン弛み検出装置
８ａ、８ｂ  リミットスイッチ
９  振止間距離検出用リミットスイッチ
１０  パトライト
１１  ブザー
１２  ロッド
１３  ジャバラ
１４  ベースマシン
１５  下部振止取付スライド金具
１６  中間振止取付スライド金具
１７  チェーン受け箱
１８、１９  リレー
２０  バネ
【図１】
0004725912.tif 000002
【図２】
0004725912.tif 000003
【図３】
0004725912.tif 000004
【図４】
0004725912.tif 000005